(57)【要約】【課題】  外付けプリントサーバの電源スイッチにアクセスせずに電源のＯＮ／ＯＦＦをさせることと、外付けプリントサーバを単体で使用すること、の両方の利便性を考慮した画像形成システムの電源制御方法を提供することを目的とする。【解決手段】  ＭＦＰ１０３の電源スイッチ３１１がＯＮされた場合、プリントサーバ１０２の電源を連動させてＯＮさせ、ＭＦＰ１０３の電源スイッチ３１１がＯＦＦされた場合には、プリントサーバ１０２の電源を連動させずにＯＮさせ続ける。【選択図】        図４
2019200514.tif 000002
【特許請求の範囲】
【請求項１】
画像形成装置（１０３）と印刷処理装置（１０２）とが接続された印刷システムであって、
前記画像形成装置は（１０３）、
電源スイッチ（３１１）と、電源制御部（３１６）と、を備え、
前記印刷処理装置（１０２）は、電源部供給部（２１１）と、電源制御部（２１６）と、を備え、
前記電源制御部（２１６）は、
前記画像形成装置（１０３）の前記電源スイッチ（３１１）がＯＮされたとき（Ｓ４０４）、
前記印刷処理装置（１０２）の前記電源制御部（２１６）は前記電源供給部（２１１）からの電源をＯＮするように指示して、前記印刷処理装置（１０２）の起動をさせ、
前記画像形成装置（１０３）の前記電源スイッチ（３１１）がＯＦＦされたときは、
前記印刷処理装置（１０２）の前記電源制御部（２１６）は前記電源供給部（２１１）からの電源をＯＮし続けるように指示する
ことを特徴とする。
【請求項２】
画像形成装置（１０３）と印刷処理装置（１０２）とが接続された印刷システムであって、
前記画像形成装置は（１０３）、
電源スイッチ（３１１）と、電源制御部（３１６）と、を備え、
前記印刷処理装置（１０２）は、電源部供給部（２１１）と、電源制御部（２１６）と、を備え、
前記電源制御部（２１６）は、
前記画像形成装置（１０３）の前記電源スイッチ（３１１）がＯＮされたとき（Ｓ４０４）、
前記画像形成装置（１０３）の前記電源制御部（３１６）が、前記電源制御部（２１６）に対して電源供給部（２１１）からの電源をＯＮするように指示して、前記印刷処理装置（１０２）の起動をさせ、
前記画像形成装置（１０３）の前記電源スイッチ（３１１）がＯＦＦされたときは、
前記印刷処理装置（１０２）の前記電源制御部（３１６）が、前記電源供給部（２１１）からの電源をＯＮし続けるように指示する
ことを特徴とする。
【請求項３】
請求項１に記載の印刷システムにおいて、
前記画像形成装置（１０３）は、さらに、プリンタエンジン部（１０７）と
コントローラユニット部（１０６）と
を備え、
前記画像形成装置（１０３）の前記電源スイッチ（３１１）がＯＮされたとき（Ｓ７０１）、
前記印刷処理装置（１０２）が接続されているかを判断し（Ｓ７０３）、
前記印刷処理装置（１０２）が接続されている場合には、
さらに前記印刷処理装置（１０２）を単体使用するかを判断し（Ｓ７０４）、
コントローラユニット部（１０６）の一部のみ電源をＯＮにした状態で（Ｓ７０２）、
前記画像形成装置（１０３）の前記電源制御部（３１６）が、前記電源制御部（２１６）に対して電源供給部（２１１）からの電源をＯＮするように指示して、前記印刷処理装置（１０２）の起動をさせ、
さらにエンジンプロセス部（１０７）の電源はＯＦＦのままにする、か
あるいはエンジンプロセス部（１０７）の電源もＯＮするかを
切り替えるような制御を行なうことを特徴とする。
【発明の詳細な説明】
【技術分野】
【０００１】
本発明は、外付けのプリントサーバと複合機が接続されているような画像形成システムの電源制御手法に関する。
【背景技術】
【０００２】
従来から、複合機などの画像形成装置に１対１で接続される外付けプリントサーバなどの印刷処理装置が存在する。
【０００３】
プリントサーバを接続された複写機は自身が対応していないＰＤＬ等の印刷言語で記述されたデータに関しても印刷処理を行えるようになる。そのため、外付けプリントサーバは大量のデータを高速に処理することが必要となり、一般的な複合機とは異なり、高性能のＣＰＵやマザーボードなどを搭載したＰＣをベースにした設計が用いられている。
【０００４】
また、このようなプリントサーバはＰＣをベースにしていることから、複合機とは独立して単体で起動させて使用するケースがあるのが一般的である（例えば、プリントサーバへクライアントＰＣからネットワーク経由でアクセスし、プリントサーバへ既に送付されている印刷ジョブの再編集やフィニッシング設定の変更などを行なう。）。
【０００５】
一方で、このような複合機と外付けプリントサーバが接続されているような画像形成システムにおいて、設置場所の都合から外付けプリントサーバが複合機の裏側などに設置され、外付けプリントサーバの電源スイッチにアクセスしづらいケースがある。そのようなケースでは外付けプリントサーバの電源スイッチにアクセスせずに電源のＯＮ／ＯＦＦをさせたいといった要望がある。
【０００６】
このように独立した電源スイッチにそれぞれにアクセスせずに電源のＯＮ／ＯＦＦをさせたい場合に使用する方法として、従来から、複数の機器を接続してマスターとなる機器とスレーブとなる機器の電源を自動的に連動させＯＮ／ＯＦＦさせる技術が一般に知られている（特開２００７−７２６００号広報参照。）。
【先行技術文献】
【特許文献】
【０００７】
【特許文献１】特開２００７−７２６００号公報
【発明の概要】
【発明が解決しようとする課題】
【０００８】
しかしながら特許文献１に開示された技術では、前述のように複合機と外付けプリントサーバの電源スイッチにアクセスせずに電源のＯＮ／ＯＦＦをさせた場合、プリントサーバを複合機とは独立して単体で使用するにもかかわらず、
複合機の電源をＯＮしたままにする必要が出てくる。
【０００９】
したがって本発明では外付けプリントサーバの電源スイッチにアクセスせずに電源のＯＮ／ＯＦＦをさせることと、外付けプリントサーバを単体で使用すること、の両方の利便性を考慮した画像形成システムの電源制御方法を提供することを目的とする。
【課題を解決するための手段】
【００１０】
画像形成装置（１０３）と印刷処理装置（１０２）とが接続された印刷システムであって、
前記画像形成装置は（１０３）、
電源スイッチ（３１１）と、電源制御部（３１６）と、を備え、
前記印刷処理装置（１０２）は、電源部供給部（２１１）と、電源制御部（２１６）と、を備え、
前記電源制御部（２１６）は、
前記画像形成装置（１０３）の前記電源スイッチ（３１１）がＯＮされたとき（Ｓ４０４）、
前記印刷処理装置（１０２）の前記電源制御部（２１６）は前記電源供給部（２１１）からの電源をＯＮするように指示して、前記印刷処理装置（１０２）の起動をさせ、
前記画像形成装置（１０３）の前記電源スイッチ（３１１）がＯＦＦされたときは、
前記印刷処理装置（１０２）の前記電源制御部（２１６）は前記電源供給部（２１１）からの電源をＯＮし続けるように指示する
ことを特徴とする。
【発明の効果】
【００１１】
本発明により外付けプリントサーバの電源スイッチにアクセスせずに電源のＯＮ／ＯＦＦをさせることと、外付けプリントサーバを単体で使用すること、の両方の利便性を考慮した画像形成システムの電源制御方法を提供することが可能となる。
【図面の簡単な説明】
【００１２】
【図１】図１は本発明の第１の実施形態に係る画像形成システムの構成を表す図である。
【図２】図２はプリントサーバ１０２の制御構成を示すブロック図である。
【図３】図３は、ＭＦＰ１０３の制御構成を説明するブロック図である。
【図４】（Ａ）は、第１の実施形態でのＭＦＰ１０３の電源ＯＮ時の制御フローを説明するフローチャートである。（Ｂ）は、第１の実施形態でのプリントサーバ１０２の電源ＯＮ時の制御フローを説明するフローチャートである。
【図５】図５は、第１の実施形態でのＭＦＰ１０３の電源ＯＦＦ時の制御フローを説明するフローチャートである。
【図６】図６は、第１の実施形態でのプリントサーバ１０２の電源ＯＦＦ時の制御フローを説明するフローチャートである。
【図７】（Ａ）は、第２の実施形態でのＭＦＰ１０３の電源ＯＮ時の制御フローを説明するフローチャートである。（Ｂ）は、第２の実施形態でのプリントサーバ１０２の電源ＯＮ時の制御フローを説明するフローチャートである。
【図８】（Ａ）は、第２の実施形態でのＭＦＰ１０３の電源ＯＦＦ時の制御フローを説明するフローチャートである。（Ｂ）は、第２の実施形態でのプリントサーバ１０２の電源ＯＦＦ時の制御フローを説明するフローチャートである。
【発明を実施するための形態】
【００１３】
以下、本発明を実施するための形態について図面を用いて説明する。ただし、以下の実施の形態に記載されている構成要素はあくまで例示であり、この発明の範囲をそれらのみに限定する趣旨のものではない。
【００１４】
［実施例１］
本発明の第１の実施形態として、画像形成装置の電源スイッチがＯＮされた時には、印刷処理装置が連動して自機の電源をＯＮし、画像形成装置の電源スイッチがＯＦＦされた時には、印刷処理装置は連動せずに自機の電源をＯＮし続ける実施形態を、図を用いて説明する。ここでは印刷処理装置の例としてプリントサーバ１０２を説明し、画像形成装置の例としてＭＦＰ１０３を説明し、情報処理装置の例としてクライアントＰＣ１０１を説明する。
【００１５】
図１は本発明の第１の実施形態に係る画像形成システムの構成を表す図である。図１において、ＰＣ１０１、プリントサーバ１０２、およびＭＦＰ１０３がＬＡＮ１０４に接続されている。また、プリントサーバ１０２とＭＦＰ１０３とはケーブル１０５、ネットワークケーブル１１０を介して接続されている。
【００１６】
ＰＣ１０１はユーザの操作に従ってＰＤＬ等の印刷言語で記述されたデータ、或いは特定の（ＪＢＩＧなどで圧縮された）データフォーマットのデータを含むプリントジョブを生成する。そして、ＰＣ１０１はそのプリントジョブをプリントサーバ１０２宛てに送信する。プリントサーバ１０２はＰＣ１０１からのプリントジョブを受信すると、プリントジョブに画像展開処理を施して、ラスタイメージ化されたデータを生成する。また、ＰＣ１０１はプリントサーバ１０２に対して、ＬＡＮ１０４を介してリモートアクセスでき、ＰＣ１０１からプリントサーバ１０２を操作できるような構成になっている。
【００１７】
そして、プリントサーバ１０２はラスタイメージ化されたデータに基づく印刷データを画像形成装置１０３にケーブル１０５やネットワークケーブル１１０を介して送信し、画像形成装置はその印刷データに基づく印刷を実行する。
【００１８】
図２はプリントサーバ１０２の制御構成を示すブロック図である。同図において、２０１はプリントサーバ１０２全体の制御を司るＣＰＵ部である。２０２はＣＰＵ部２０１が実行するブートプログラムが格納されているＲＯＭ部である。２０３はシステムソフトウェア、画像データ、ソフトウェアカウンタ値、第１のネットワークＩ／Ｆ部２０８で受信したプリントジョブを一時的に保管（スプール）しておくためのＨＤＤ部である。
【００１９】
２０４は受信したＰＤＬ等の印刷言語で記述されたデータ或いは特定の（ＪＢＩＧ・ＭＲ・ＭＭＲ・ＭＨなどで圧縮された）データフォーマットのデータをラスタイメージ化するためのＲＩＰ処理部である。２０５はラスタイメージ化されたデータをＭＦＰ１０３がサポートする形式の印刷データ或いはデータフォーマットに変換するためのエンコード部である。２０６はＣＰＵ部２０１がデータ一時保存領域として利用し、またＲＩＰ処理部２０４が画像展開処理を実行するときに利用するＲＡＭ部である。
【００２０】
２０７は本システム使用者が、操作部２１０から入力した情報をＣＰＵ２０１に伝える役割をする操作部Ｉ／Ｆである。２０８はＬＡＮ１０４との低位レイヤレベルの接続を司る、第１のネットワークＩ／Ｆ部である。２０９はＭＦＰ１０３に接続されているケーブルとの接続を司る、画像データＩ／Ｆ部である。２１０はボタン・キーボード・マウス・ＬＣＤ等を有する操作部である。本システム使用者は操作部２１０を使ってプリントサーバ１０２のオペレーションを行なう。
【００２１】
プリントサーバ１０２がＲＩＰ処理部１０２及びエンコード部１０３を有することにより、ケーブル１０５やネットワークケーブル１１０を介して接続されたＭＦＰ１０３がサポートしていない印刷言語で記述されたデータに関しても印刷を行えるようになる。またプリントサーバ１０２は、ＲＩＰ処理部２０４がプリントジョブから画像展開処理を施したラスタイメージデータや、エンコード部２０５がラスタイメージデータをＭＦＰ１０３がサポートするデータフォーマットに変換したデータを画像データＩ／Ｆ部２０９を介して、ＭＦＰ１０３へ送信する。
【００２２】
２１１はプリントサーバ１０２に電力を供給する電源供給部である。２１２はＣＰＵ２０１、ＲＯＭ２０２、ＨＤＤ２０３，ＲＩＰ処理部２０４、エンコード部２０５、ＲＡＭ２０６、操作部Ｉ／Ｆ２０７、第１ネットワークＩ／Ｆ部２０８、画像データＩ／Ｆ部２０９、第２ネットワークＩ／Ｆ部２１３と接続されるシステムバスである。２１３はネットワークケーブル１１０でＭＦＰ１０３と接続され、ＭＦＰ１０３との接続を司る、第２のネットワークＩ／Ｆ部である。
【００２３】
２１６は操作部Ｉ／Ｆ２０７と第１のネットワークＩ／Ｆ部２０８制御信号が通る制御線２２３と、ＣＰＵ部２０１の制御信号が通る制御線２２２によって、電源供給線２２０・２２１の電源のＯＮ／ＯＦＦを制御する電源制御部である。
【００２４】
スリープ状態では、電源制御部２１６はプリントサーバ１０２の主要部には供給せず、プリントサーバ１０２は省電力状態に移行する。そして、プリントサーバ１０２によって消費される電力は軽減される。
【００２５】
ここでは例としてプリントサーバ１０２の主要部とはＣＰＵ部２０１、ＲＯＭ部２０２、ＨＤＤ部２０３、ＲＩＰ処理部２０４、エンコード部２０５である。また、プリントサーバ１０２の主要部以外の部分はＲＡＭ部２０６、操作部Ｉ／Ｆ部２０７、第１のネットワークＩ／Ｆ部２０８、画像データＩ／Ｆ部２０９、操作部２１０である。
【００２６】
また、図３は、ＭＦＰ１０３の制御構成を説明するブロック図である。図３において、３０１はメインとなるＣＰＵ部で、ＭＦＰ１０３全体の制御を司る。１０９はＬＣＤ・タッチパネル・テンキー・電源スイッチなどを含む操作部である。本システム使用者は操作部１０９を使ってＭＦＰ１０３のオペレーションを行なう。３０２はＣＰＵ部３０１が実行するブートプログラムが格納されているＲＯＭ部である。３０３はＨＤＤ部である。ＨＤＤ部３０３はシステムソフトウェアや印刷データやプログラムを記憶したり、データのキャッシュエリアとして利用される。
【００２７】
３０４は出力処理部である。出力処理部３０４は、ＣＰＵ部３０１によって送られてくる画像データを、紙に印刷するために適したデータに補正するために、ガンマ変換、エッジ強調、スムージングなどの処理を行い、プリンタエンジン部１０７へ画像を転送する。３０６はＲＡＭ部である。ＲＡＭ部３０６はＣＰＵ部３０１がデータ一時保存領域として利用し、印刷画像データの展開や印刷画像データの加工が行われるときに用いられる。３０７は操作部１０９におけるＬＣＤ、タッチパネル及びスイッチとＣＰＵ部３０１と通信を行なう操作部Ｉ／Ｆ部である。
【００２８】
３０８はネットワークＩ／Ｆ部である。ネットワークＩ／Ｆ部３０８はＬＡＮ１０４との低位レイヤレベルの接続を司る。３０９は画像データＩ／Ｆである。画像データＩ／Ｆ３０９はプリントサーバ１０２からケーブル１０５を通じて送信されてきたデータを受信し、ＨＤＤ３０３へスプールする。３１０はＣＰＵ３０１、ＲＯＭ３０２、ＨＤＤ３０３，出力処理部３０４、ＲＡＭ３０６、操作部Ｉ／Ｆ３０７、ネットワークＩ／Ｆ部３０８、画像データＩ／Ｆ部３０９を接続するシステムバスである。
【００２９】
３１１は電源スイッチである。電源スイッチ３１１は、ＭＦＰ１０３の電源ＯＮ／ＯＦＦ操作をユーザが行うためのスイッチであり、スイッチ操作がされた場合、制御線３２６を通じて電源制御部３１６へスイッチ操作されたことを通知する。３１６は電源制御部である。
【００３０】
電源制御部３１６は、操作部Ｉ／Ｆ３０７、ネットワークＩ／Ｆ部３０８からのスリープ制御信号が通る制御線３２３と、ＣＰＵ部２０１との通信信号が通る通信線３２２と、電源スイッチ３１１からの制御線３２６に接続され、電源供給線３２０・３２１・３２５の電源のＯＮ／ＯＦＦ制御を行なう。また、電源制御部３１６は、プリントサーバ電源制御信号３２４のＯＮ／ＯＦＦ制御を行なう。これにより電源制御部３１６は、ＭＦＰ１０３全体の電源制御を行なう。
【００３１】
図４（Ａ）は、ＭＦＰ１０３の電源ＯＮ時の制御フローを説明するフローチャートである。Ｓ４０１にて、電源制御部３１６は電源スイッチ３１１がＯＮされたかの監視を行なう。電源スイッチ３１１がＯＮされた場合（Ｓ４０１でＹｅｓ）、Ｓ４０２に処理を移行する。Ｓ４０２にて、電源制御部３１６は電源供給線３２０、電源供給線３２１、電源供給線３２５をＯＮすることにより、ＭＦＰ１０２の起動処理を開始させる。
【００３２】
その次にＳ４０３にて、電源制御部３１６は制御線２２３をＯＮすることにより、プリントサーバ１０２へＭＦＰ１０３の電源状態がＯＮになったことを通知する。
【００３３】
以上で、ＭＦＰ１０３の電源ＯＮ時の制御フローを終了する。
【００３４】
図４（Ｂ）は、プリントサーバ１０２の電源ＯＮ時の制御フローを説明するフローチャートである。Ｓ４０４にて、電源制御部２１６は制御線２２３がＯＮされたかの監視を行なう。制御線２２３がＯＮされた場合（Ｓ４０４でＹｅｓ）、Ｓ４０５処理を移行する。Ｓ４０５にて、電源制御部２１６は電源供給線２２０、電源供給線２２１をＯＮすることにより、プリントサーバ１０３の起動処理を開始させる。
【００３５】
以上で、プリントサーバ１０３の電源ＯＮ時の制御フローを終了する。
【００３６】
図５は、ＭＦＰ１０３の電源ＯＦＦ時の制御フローを説明するフローチャートである。
【００３７】
Ｓ５０１にて、電源制御部３１６はＭＦＰ１０３へのシャットダウン指示があったかを判断する。ここでのシャットダウン指示の種類としては、電源スイッチ３１１がユーザによってＯＦＦされたかを制御線３２６を通じて通知されるか、ＣＰＵ３０１からの通信線３２２を通じてのシャットダウン指示がある。シャットダウン指示があった場合（Ｓ５０１でＹｅｓ）、処理をＳ５０２に移行する。
【００３８】
Ｓ５０２にて、電源制御部３１６は通信線３２２を通じてＣＰＵ３０１へＭＦＰ１０３のシャットダウン処理開始を指示し、ＣＰＵ３０１はＭＦＰ１０３のシャットダウン処理を開始する。Ｓ５０３にて、電源制御部３１６は通信線３２２を通じてＣＰＵ３０１からＭＦＰ１０３のシャットダウン処理が完了した通知があるかを監視する。ＣＰＵ３０１からのＭＦＰ１０３のシャットダウン処理完了通知があった場合、（Ｓ５０３でＹｅｓ）処理をＳ５０４に移行する。Ｓ５０４にて、電源制御部３１６は電源供給線３２０、電源供給線３２１、電源供給線３２５の電源をＯＦＦにする。
【００３９】
その次にＳ５０５にて、電源制御部３１６は制御線２２３をＯＦＦにする。
【００４０】
以上で、ＭＦＰ１０３の電源ＯＮ時の制御フローを終了する。
【００４１】
図６は、プリントサーバ１０２の電源ＯＦＦ時の制御フローを説明するフローチャートである。
【００４２】
Ｓ６０１にて電源制御部２１６はＣＰＵ２０１からシャットダウン指示があったかを判断する。ここでのシャットダウン指示の種類としては、ＣＰＵ２０１からの通信線２２２を通じてのシャットダウン指示のみである。シャットダウン指示があった場合（Ｓ６０１でＹｅｓ）、処理をＳ６０２に移行する。Ｓ６０２にて、電源制御部２１６は通信線２２２を通じてＣＰＵ２０１へプリントサーバ１０２のシャットダウン処理開始を指示し、ＣＰＵ２０１はプリントサーバ１０２のシャットダウン処理を開始する。Ｓ６０３にて、電源制御部２１６は通信線２２２を通じてＣＰＵ２０１からプリントサーバ１０２のシャットダウン処理が完了した通知があるかを監視する。
【００４３】
ＣＰＵ２０１からのプリントサーバ１０２のシャットダウン処理完了通知があった場合（Ｓ６０３でＹｅｓ）、処理をＳ６０４に移行する。Ｓ６０４にて、電源制御部２１６は電源供給線２２０と電源供給線２２１の電源をＯＦＦにする。
【００４４】
以上で、プリントサーバ１０２の電源ＯＮ時の制御フローを終了する。
【００４５】
以上のように本発明の第１の実施形態によれば、ＭＦＰ１０３の電源スイッチ３１１がＯＮされた場合、プリントサーバ１０２の電源を連動させてＯＮさせ、ＭＦＰ１０３の電源スイッチ３１１がＯＦＦされた場合には、プリントサーバ１０２の電源を連動させずに、ＯＮさせ続ける。
【００４６】
これにより外付けプリントサーバの電源スイッチにアクセスせずに電源のＯＮ／ＯＦＦをさせることと、外付けプリントサーバを単体で使用すること、の両方の利便性を考慮した画像形成システムの電源制御方法を提供することが可能となる。
【００４７】
［実施例２］
次に、本発明の第２の実施形態について以下に説明する。
【００４８】
まず、第２の実施形態として、第１の実施形態における図１・図２・図３のブロック図に関しては同じであるため、説明は省略する。
【００４９】
図７（Ａ）は、本実施形態でのＭＦＰ１０３の電源ＯＮ時の制御フローを説明するフローチャートである。Ｓ７０１にて、電源制御部３１６は電源スイッチ３１１がＯＮされたかの監視を行なう。電源スイッチ３１１がＯＮされた場合（Ｓ７０１でＹｅｓ）、Ｓ７０２に処理を移行する。Ｓ７０２にて、電源制御部３１６は電源供給線３２１をＯＮすることにより、コントローラユニット１０６の一部のみの起動を開始させる。
【００５０】
Ｓ７０３にて、ＭＦＰ１０３はプリントサーバ１０２が接続されているかを判断する。プリントサーバ１０２が接続されているかの判断方法の例としては、ＣＰＵ３０１があらかじめＭＦＰ１０３のＨＤＤ３０３内に事前に設定されている設定値により判断するか、電源制御部３１６が制御線２２３から取得して判断を行なう。Ｓ７０３にて、プリントサーバ１０２が接続されていると判断した場合（Ｓ７０３でＹｅｓ）、処理をＳ７０４に移行する。Ｓ７０３にて、プリントサーバ１０２が接続されていないと判断した場合（Ｓ７０３でＮｏ）、処理をＳ７０９に移行する。
【００５１】
Ｓ７０４において、ＭＦＰ１０３は、電源スイッチをＯＮしたユーザがプリントサーバ１０２を単体で使用するかを判断する。ユーザがプリントサーバ１０２を単体で使用するかの判断方法の例としては、ＣＰＵ３０１があらかじめＭＦＰ１０３のＨＤＤ３０３内に事前に設定されている設定値により判断するか、ＣＰＵ３０１が操作部１０９にユーザがプリントサーバ１０２を単体で使用するかの選択画面（不図示）を表示し、ユーザに選択させることにより判断を行なう。
【００５２】
Ｓ７０４において、ユーザがプリントサーバ１０２を単体で使用すると判断した場合（Ｓ７０４でＹｅｓ）、処理をＳ７０５へ移行する。Ｓ７０４において、ユーザがプリントサーバ１０２を単体では使用しないと判断した場合（Ｓ７０４でＮｏ）、処理をＳ７０７へ移行する。Ｓ７０５において、電源制御部３１６はプリントサーバ１０２への制御線２２３をＯＮにすることにより、プリントサーバ１０２の電源をＯＮする。Ｓ７０６にて、ＣＰＵ３０１はユーザがプリンタエンジン１０７を使用するか監視を行なう。
【００５３】
ＣＰＵ３０１が、ユーザがプリンタエンジン１０７を使用すると検知した場合（Ｓ７０６でＹｅｓ）、処理をＳ７０９に移行する。ＣＰＵ３０１が、ユーザがプリンタエンジン１０７を使用しないと検知した場合（Ｓ７０６でＮｏ）、そのままＳ７０６の処理を継続する。Ｓ７０７において、ＭＦＰ１０３は、電源スイッチをＯＮしたユーザがＭＦＰ１０３を単体で使用するかを判断する。
【００５４】
ユーザがＭＦＰ１０３を単体で使用するかの判断方法の例としては、ＣＰＵ３０１があらかじめＭＦＰ１０３のＨＤＤ３０３内に事前に設定されている設定値により判断するか、ＣＰＵ３０１が操作部１０９にユーザがＭＦＰ１０３を単体で使用するかの選択画面（不図示）を表示し、ユーザに選択させることにより判断を行なう。
【００５５】
Ｓ７０７において、ユーザがＭＦＰ１０３を単体で使用すると判断した場合（Ｓ７０７でＹｅｓ）、処理をＳ７０９へ移行する。Ｓ７０７において、ユーザがＭＦＰ１０３を単体では使用しないと判断した場合（Ｓ７０７でＮｏ）、処理をＳ７０８へ移行する。Ｓ７０８において、電源制御部３１６はプリントサーバ１０２への制御線２２３をＯＮにすることにより、プリントサーバ１０２の電源をＯＮする。Ｓ７０９にて、電源制御部３１６は電源供給線３２０をＯＮして、コントローラユニット１０６の全てのブロックに対して電源ＯＮする。Ｓ７１０にて、電源制御部３１６は電源供給線３２５をＯＮして、プリンタエンジン１０７に対して電源ＯＮする。
【００５６】
以上で、ＭＦＰ１０３の電源ＯＮ時の制御フローを終了する。
【００５７】
図７（Ｂ）は、本実施形態でのプリントサーバ１０２の電源ＯＮ時の制御フローを説明するフローチャートである。
【００５８】
Ｓ７１１にて、電源制御部２１６は制御線２２３がＯＮされたかの監視を行なう。制御線２２３がＯＮされた場合（Ｓ７１１でＹｅｓ）、Ｓ７１２処理を移行する。Ｓ７１２にて、電源制御部２１６は電源供給線２２０、電源供給線２２１をＯＮすることにより、プリントサーバ１０３の起動処理を開始させる。
【００５９】
以上で、プリントサーバ１０３の電源ＯＮ時の制御フローを終了する。
【００６０】
図８（Ａ）は、ＭＦＰ１０３の電源ＯＦＦ時の制御フローを説明するフローチャートである。
【００６１】
Ｓ８０１にて、電源制御部３１６はＭＦＰ１０３へのシャットダウン指示があったかを判断する。ここでのシャットダウン指示の種類としては、電源スイッチ３１１がユーザによってＯＦＦされたかを制御線３２６を通じて通知されるか、ＣＰＵ３０１からの通信線３２２を通じてのシャットダウン指示がある。シャットダウン指示があった場合（Ｓ８０１でＹｅｓ）、処理をＳ８０２に移行する。Ｓ８０２にて、電源制御部３１６は通信線３２２を通じてＣＰＵ３０１へＭＦＰ１０３のシャットダウン処理開始を指示し、ＣＰＵ３０１はＭＦＰ１０３のシャットダウン処理を開始する。
【００６２】
Ｓ８０３にて、電源制御部３１６は通信線３２２を通じてＣＰＵ３０１からＭＦＰ１０３のシャットダウン処理が完了した通知があるかを監視する。ＣＰＵ３０１からのＭＦＰ１０３のシャットダウン処理完了通知があった場合、（Ｓ８０３でＹｅｓ）処理をＳ８０４に移行する。Ｓ８０４にて、電源制御部３１６は電源供給線３２５の電源をＯＦＦにして、プリンタエンジン１０７をＯＦＦにする。Ｓ８０５にて、ＭＦＰ１０３はプリンタサーバ１０２が未接続状態であるか、あるいは電源ＯＦＦ状態にされているか、を判断する。
【００６３】
ＭＦＰ１０３が、プリンタサーバ１０２が未接続状態であるか、あるいは電源ＯＦＦ状態にされているか、を判断する方法としては、ＣＰＵ３０１がネットワーク部３０８を通じてプリントサーバ１０２にアクセスして判断するか、ＣＰＵ３０１が画像データＩ／Ｆ３０９を通じてプリントサーバ１０２にアクセスして判断する。ＭＦＰ１０３が、プリンタサーバ１０２が未接続状態である、あるいは電源ＯＦＦ状態にされている、と判断した場合（Ｓ８０５でＹｅｓ）、処理をＳ８０９に移行する。ＭＦＰ１０３が、プリンタサーバ１０２は接続されていて電源ＯＮ状態である、と判断した場合（Ｓ８０５でＮｏ）、処理をＳ８０６に移行する。
【００６４】
Ｓ８０６において、電源制御部３１６は電源供給線３２０の電源をＯＦＦにして、コントローラユニット１０６を一部のみＯＦＦにする。Ｓ８０７において、ＭＦＰ１０３は、電源スイッチをＯＦＦしたユーザがプリントサーバ１０２を単体で使用するかを判断する。
【００６５】
ユーザがプリントサーバ１０２を単体で使用するかの判断方法の例としては、ＣＰＵ３０１があらかじめＭＦＰ１０３のＨＤＤ３０３内に事前に設定されている設定値により判断するか、ＣＰＵ３０１が操作部１０９に、ＭＦＰ１０３の電源ＯＦＦ後もユーザがプリントサーバ１０２を単体で使用するかの選択画面（不図示）を表示し、ユーザに選択させることにより判断を行なう。
【００６６】
Ｓ８０７において、ユーザがプリントサーバ１０２を単体で使用すると判断した場合（Ｓ８０７でＹｅｓ）、処理をＳ８０８へ移行する。Ｓ８０７において、ユーザがプリントサーバ１０２を単体では使用しないと判断した場合（Ｓ８０７でＮｏ）、処理をＳ８０９へ移行する。Ｓ８０８において、電源制御部３１６はプリントサーバ１０２が電源をＯＦＦされたかを判断する。電源制御部３１６がプリントサーバ１０２は電源ＯＦＦされたと判断した場合は処理をＳ８０９へ移行する。電源制御部３１６がプリントサーバ１０２は電源ＯＦＦされていないと判断した場合は処理Ｓ８０８を継続する。
【００６７】
Ｓ８０９にて、電源制御部３１６はプリントサーバ１０２への制御線２２３をＯＦＦにする。Ｓ８１０にて、電源制御部３１６は電源供給線３２１の電源をＯＦＦにして、コントローラユニット１０６を全てＯＦＦにする。
【００６８】
以上で、ＭＦＰ１０３の電源ＯＮ時の制御フローを終了する。
【００６９】
図８（Ｂ）は、プリントサーバ１０２の電源ＯＦＦ時の制御フローを説明するフローチャートである。
【００７０】
Ｓ８１１にて、電源制御部２１６はＭＦＰ１０３からの制御線２２３がＯＦＦされたかを判断する。電源制御部２１６がＭＦＰ１０３からの制御線２２３はＯＦＦされたと判断した場合（Ｓ８１１でＹｅｓ）、処理をＳ８１３に移行する。電源制御部２１６がＭＦＰ１０３からの制御線２２３はＯＦＦされていないと判断した場合（Ｓ８１１でＹｅｓ）、処理をＳ８１２に移行する。Ｓ８１２にて電源制御部２１６はＣＰＵ２０１からシャットダウン指示があったかを判断する。ここでのシャットダウン指示の種類としては、ＣＰＵ２０１からの通信線２２２を通じてのシャットダウン指示である。
【００７１】
シャットダウン指示があった場合（Ｓ８１２でＹｅｓ）、処理をＳ８１３に移行する。シャットダウン指示がない場合（Ｓ８１２でＮｏ）、処理をＳ８１１に移行する。Ｓ８１３にて、電源制御部２１６は通信線２２２を通じてＣＰＵ２０１へプリントサーバ１０２のシャットダウン処理開始を指示し、ＣＰＵ２０１はプリントサーバ１０２のシャットダウン処理を開始する。Ｓ８１４にて、電源制御部２１６は通信線２２２を通じてＣＰＵ２０１からプリントサーバ１０２のシャットダウン処理が完了した通知があるかを監視する。
【００７２】
ＣＰＵ２０１からのプリントサーバ１０２のシャットダウン処理完了通知があった場合（Ｓ８１４でＹｅｓ）、処理をＳ８１５に移行する。Ｓ８１５にて、電源制御部２１６は電源供給線２２０と電源供給線２２１の電源をＯＦＦにする。
【００７３】
以上で、プリントサーバ１０２の電源ＯＮ時の制御フローを終了する。
【００７４】
以上のように本発明の第２の実施形態によれば、ＭＦＰ１０３の電源スイッチ３１１がＯＮされた場合、プリントサーバ１０２の電源を連動させてＯＮさせ、
ＭＦＰ１０３の電源スイッチ３１１がＯＦＦされた場合には、プリントサーバ１０２の電源を連動させずに、ＯＮさせ続ける。
【００７５】
さらにプリントサーバ１０２を単体で使用する場合にはエンジンプロセスの電源をＯＮしない。
【００７６】
これにより外付けプリントサーバの電源スイッチにアクセスせずに電源のＯＮ／ＯＦＦをさせることと、外付けプリントサーバを単体で使用すること、の両方の利便性を考慮した画像形成システムの電源制御方法を提供することが可能となる。
【００７７】
さらにプリントサーバ１０２を単体で使用する場合には、無駄にエンジンプロセスの電源をＯＮせずに単体で使用させることができる。
【符号の説明】
【００７８】
１０１ ＰＣ
１０２ プリントサーバ
１０３ ＭＦＰ
【図１】
2019200514.tif 000003
【図２】
2019200514.tif 000004
【図３】
2019200514.tif 000005
【図４】
2019200514.tif 000006
【図５】
2019200514.tif 000007
【図６】
2019200514.tif 000008
【図７】
2019200514.tif 000009
【図８】
2019200514.tif 000010